(57)【特許請求の範囲】
【請求項１】
申請者の顔画像を撮影する撮影装置と、ＩＤカードを作成するＩＤカード作成装置と、識別番号とその識別番号に対応付けられた顔画像を記憶した記憶部を有するファイルサーバと、２つの顔画像を照合する顔画像照合装置と、を備え、
前記撮影装置が、
申請者の識別番号を入力する入力手段と、
申請者の顔画像を入力する画像入力手段と、
前記画像入力手段により入力された顔画像を前記入力手段により入力された識別番号に対応付けて前記顔画像照合装置に送信する第１の送信手段と、を備え、
前記顔画像照合装置が、
表示部と、
入力部と、
前記第１の送信手段により送信された識別番号に対応する顔画像を前記ファイルサーバから受信する受信手段と、
前記受信手段により受信された顔画像と前記第１の送信手段により送信された顔画像を照合する照合手段と、
前記照合手段による照合結果を識別番号に対応付けて前記撮影装置に送信する第２の送信手段と、を備え、
前記撮影装置が、前記第２の送信手段により送信された照合結果によって、前記ＩＤカード作成装置によるＩＤカードの作成を決める決定手段を更に備え、
前記照合手段が、
前記受信手段により受信された顔画像と前記第１の送信手段により送信された顔画像との一致度合いを求め、
求めた一致度合いが第１閾値以上である場合に、本人であることを表す照合結果を出すし、
求めた一致度合いが前記第１閾値未満である場合に、前記受信手段により受信された顔画像と前記第１の送信手段により送信された顔画像とを前記表示部に表示させ、両方の顔画像の比較結果を前記入力部により入力し、
前記入力部により入力した比較結果が不一致を表す場合に、求めた一致度合いが第２閾値未満（但し、前記第２閾値＜前記第１閾値）であるときに、別人であることを表す照合結果を出すことを特徴とするＩＤカード作成システム。
【請求項２】
前記照合手段が、前記入力部により入力した比較結果が一致を表す場合に、本人であることを表す照合結果を出すことを特徴とする請求項１に記載のＩＤカード作成システム。
【請求項３】
前記顔画像照合装置は、前記照合手段によって別人の照合結果が出された場合に、前記表示部にエラー表示をさせる手段を備えることを特徴とする請求項１又は２に記載のＩＤカード作成システム。
【請求項４】
前記照合手段が、前記入力部により入力した比較結果が不一致を表す場合に、求めた一致度合いが前記第２閾値以上であるときに、前記第１の送信手段により送信された識別番号に対応する別の顔画像を前記ファイルサーバから受信し、その別の顔画像と前記第１の送信手段により送信された顔画像を照合することを特徴とする請求項１から３の何れか一項に記載のＩＤカード作成システム。
【請求項５】
前記決定手段は、前記第２の送信手段により送信された照合結果が本人を表す場合に、前記入力手段により入力した識別番号と、前記画像入力手段により入力した顔画像とを前記ＩＤカード作成装置に送信し、
前記ＩＤカード作成装置は、前記決定手段により送信された識別番号及び顔画像に従ってＩＤカードを作成することを特徴とする請求項１から４の何れか一項に記載のＩＤカード作成システム。
【請求項６】
前記撮影装置は、第２の表示部を具備し、
前記決定手段は、前記第２の送信手段により送信された照合結果が別人を表す場合に、前記第２の表示部にエラー表示をさせることを特徴とする請求項１から５の何れか一項に記載のＩＤカード作成システム。
【請求項７】
前記撮影装置は、
顔照合をするか否かを表す申請識別情報を入力する申請識別情報入力手段と、
前記申請識別情報入力手段により入力された申請識別情報が顔照合をしないことを表す場合に、前記第１の送信手段による送信を行わずに、前記入力手段により入力した識別番号と前記画像入力手段により入力した顔画像とを前記ＩＤカード作成装置に送信する第３の送信手段とを更に備え、
前記ＩＤカード作成装置は、前記第３の送信手段により送信された識別番号及び顔画像に従ってＩＤカードを作成することを特徴とする請求項１から６の何れか一項に記載のＩＤカード作成システム。
【請求項８】
申請者の顔画像を撮影する撮影装置と、ＩＤカードを作成するＩＤカード作成装置と、識別番号とその識別番号に対応付けられた顔画像を記憶した記憶部を有するファイルサーバと、２つの顔画像を照合する顔画像照合装置と、を用いてＩＤカードを作成するＩＤカード作成方法であって、
前記撮影装置が、申請者の識別番号を入力する入力ステップと、
前記撮像装置が、申請者の顔画像を入力する画像入力ステップと、
前記撮像装置が、前記画像入力ステップにより入力された顔画像を前記入力ステップにより入力された識別番号に対応付けて前記顔画像照合装置に送信する第１の送信ステップと、
前記顔画像照合装置が、前記第１の送信ステップにより送信された識別番号に対応する顔画像を前記ファイルサーバから受信する受信ステップと、
前記顔画像照合装置が、前記受信ステップにより受信された顔画像と前記第１の送信ステップにより送信された顔画像を照合する照合ステップと、
前記顔画像照合装置が、前記照合ステップによる照合結果を識別番号に対応付けて前記撮影装置に送信する第２の送信ステップと、
前記撮影装置が、前記第２の送信ステップにより送信された照合結果によって、前記ＩＤカード作成装置によるＩＤカードの作成を決める決定ステップと、を含み、
前記照合ステップは、
前記顔画像照合装置が、前記受信ステップにより受信された顔画像と前記第１の送信ステップにより送信された顔画像との一致度合いを求めるステップと、
求めた一致度合いが第１閾値以上である場合に、本人であることを表す照合結果を前記顔画像照合装置が出すステップと、
求めた一致度合いが前記第１閾値未満である場合に、前記顔画像照合装置が、前記受信ステップにより受信された顔画像と前記第１の送信ステップにより送信された顔画像とを表示部に表示するステップと、
前記顔画像照合装置が両方の顔画像の比較結果を前記入力部により入力するステップと、
前記入力部により入力した比較結果が不一致を表す場合に、求めた一致度合いが第２閾値未満（但し、前記第２閾値＜前記第１閾値）であるときに、別人であることを表す照合結果を前記顔画像照合装置が出すステップと、を含むことを特徴とするＩＤカード作成方法。
【請求項９】
前記照合ステップは、
前記入力部により入力した比較結果が一致を表す場合に、本人であることを表す照合結果を前記顔画像照合装置が出すステップを含むことを特徴とする請求項８に記載のＩＤカード作成方法。
【請求項１０】
前記照合ステップによって別人の照合結果が出された場合に、前記顔画像照合装置が前記表示部にエラー表示をするステップを更に含むことを特徴とする請求項８又は９に記載のＩＤカード作成方法。
【請求項１１】
前記照合ステップは、
前記入力部により入力した比較結果が不一致を表す場合に、求めた一致度合いが前記第２閾値以上であるときに、前記顔画像照合装置が前記第１の送信ステップにより送信された識別番号に対応する別の顔画像を前記ファイルサーバから受信するステップと、
前記顔画像照合装置が、その別の顔画像と前記第１の送信ステップにより送信された顔画像を照合するステップとを含むことを特徴とする請求項８から１０の何れか一項に記載のＩＤカード作成方法。
【請求項１２】
前記決定ステップは、前記第２の送信ステップにより送信された照合結果が本人を表す場合に、前記撮影装置が前記入力ステップにより入力した識別番号と、前記画像入力ステップにより入力した顔画像とを前記ＩＤカード作成装置に送信するステップを含み、
前記ＩＤカード作成装置が、前記決定ステップにより送信された識別番号及び顔画像に従ってＩＤカードを作成するステップを更に含むことを特徴とする請求項８から１１の何れか一項に記載のＩＤカード作成方法。
【請求項１３】
前記決定ステップは、前記第２の送信ステップにより送信された照合結果が別人を表す場合に、前記撮影装置が第２の表示部にエラー表示をするステップを含むことを特徴とする請求項８から１２の何れか一項に記載のＩＤカード作成方法。
【請求項１４】
前記撮影装置が、顔照合をするか否かを表す申請識別情報を入力する申請識別情報入力ステップと、
前記撮影装置が、前記申請識別情報入力ステップにより入力された申請識別情報が顔照合をしないことを表す場合に、前記第１の送信ステップによる送信を行わずに、前記入力ステップにより入力した識別番号と前記画像入力ステップにより入力した顔画像とを前記ＩＤカード作成装置に送信する第３の送信ステップと、
前記ＩＤカード作成装置が、前記第３の送信ステップにより送信された識別番号及び顔画像に従ってＩＤカードを作成するステップとを更に含むことを特徴とする請求項８から１３の何れか一項に記載のＩＤカード作成方法。
【発明の詳細な説明】
【技術分野】
【０００１】
本発明は、社員証、免許証、身分証明書といったＩＤカードを作成するＩＤカード作成システム及びＩＤカード作成方法に関する。
【背景技術】
【０００２】
近年、社員証、免許証、身分証明書、パスポート、外国人登録証、キャッシュカード、クレジットカード、会員証、医療カード及び学生証といったＩＤカードが普及している。このＩＤカードの表面には、識別情報としてのＩＤ番号、登録者本人の顔画像が印字・印刷されているほか、登録者本人の氏名、住所といった個人情報も印字・印刷されている。このようなＩＤカードを作成するシステムとして、撮影装置で撮影・入力した顔画像とともにＩＤ番号及び個人情報をＩＤカードに印字・印刷するシステムが知られている。
【０００３】
また、最近では、各登録者の個人情報及び顔画像をファイルサーバ等に蓄積しておき、その蓄積されたデータベースの中から個人情報及び顔画像をＩＤカード作成装置に送信することにより、ＩＤカードの再交付等の手続きを行うＩＤカード作成システムも開発されている（例えば、特許文献１参照。）。
【特許文献１】特開２００４−１８１９７０号公報
【発明の開示】
【発明が解決しようとする課題】
【０００４】
ところで、悪意ある者が登録者になりすまして、再交付の申請を行うことがある。その場合には、ＩＤカードの発行人は、ファイルサーバに蓄積された個人情報や顔画像を閲覧することによって申請者が登録者本人であるか、それとも登録者をなりすました者かを確認することになる。しかし、発行人が申請者の顔とファイルサーバの顔画像を念入りに比較すると、申請者に精神的負担を与えることがある。一方、そのような精神的負担を軽減するために、申請者の顔と顔画像の比較を念入りに行わないと、悪意のある者に対してＩＤカードを誤交付してしまう虞がある。
【０００５】
そこで、本発明は、申請者の精神的負担とＩＤカードの誤交付を防止することができるＩＤカード作成システム及びＩＤカード作成方法を提供することを目的とする。
【課題を解決するための手段】
【０００６】
上記課題を解決するため、本発明に係るＩＤカード作成システムは、申請者の顔画像を撮影する撮影装置と、ＩＤカードを作成するＩＤカード作成装置と、識別番号とその識別番号に対応付けられた顔画像を記憶した記憶部を有するファイルサーバと、２つの顔画像を照合する顔画像照合装置と、を備え、前記撮影装置が、申請者の識別番号を入力する入力手段と、申請者の顔画像を入力する画像入力手段と、前記画像入力手段により入力された顔画像を前記入力手段により入力された識別番号に対応付けて前記顔画像照合装置に送信する第１の送信手段と、を備え、前記顔画像照合装置が、表示部と、入力部と、前記第１の送信手段により送信された識別番号に対応する顔画像を前記ファイルサーバから受信する受信手段と、前記受信手段により受信された顔画像と前記第１の送信手段により送信された顔画像を照合する照合手段と、前記照合手段による照合結果を識別番号に対応付けて前記撮影装置に送信する第２の送信手段と、を備え、前記撮影装置が、前記第２の送信手段により送信された照合結果によって、前記ＩＤカード作成装置によるＩＤカードの作成を決める決定手段を更に備え、前記照合手段が、前記受信手段により受信された顔画像と前記第１の送信手段により送信された顔画像との一致度合いを求め、求めた一致度合いが第１閾値以上である場合に、本人であることを表す照合結果を出すし、求めた一致度合いが前記第１閾値未満である場合に、前記受信手段により受信された顔画像と前記第１の送信手段により送信された顔画像とを前記表示部に表示させ、両方の顔画像の比較結果を前記入力部により入力し、前記入力部により入力した比較結果が不一致を表す場合に、求めた一致度合いが第２閾値未満（但し、前記第２閾値＜前記第１閾値）であるときに、別人であることを表す照合結果を出すという構成を採った。
【０００７】
以上の発明において、前記決定手段は、前記第２の送信手段により送信された照合結果が本人を表す場合に、前記入力手段により入力した識別番号と、前記画像入力手段により入力した顔画像とを前記ＩＤカード作成装置に送信し、前記ＩＤカード作成装置は、前記決定手段により送信された識別番号及び顔画像に従ってＩＤカードを作成することが好ましい。
【０００８】
また、前記撮影装置は、第２の表示部を具備し、前記決定手段は、前記第２の送信手段により送信された照合結果が別人を表す場合に、前記第２の表示部にエラー表示をさせることが好ましい。
【００１１】
好ましくは、前記照合手段が、前記入力部により入力した比較結果が一致を表す場合に、本人であることを表す照合結果を出す。
【００１３】
好ましくは、前記顔画像照合装置は、前記照合手段によって別人の照合結果が出された場合に、前記第２の表示部にエラー表示をさせる手段を備える。
【００１４】
好ましくは、前記照合手段が、前記入力部により入力した比較結果が不一致を表す場合に、求めた一致度合いが前記第２閾値以上であるときに、前記第１の送信手段により送信された識別番号に対応する別の顔画像を前記ファイルサーバから受信し、その別の顔画像と前記第１の送信手段により送信された顔画像を照合する。
【００１５】
また、前記撮影装置は、顔照合をするか否かを表す申請識別情報を入力する申請識別情報入力手段と、前記申請識別情報入力手段により入力された申請識別情報が顔照合をしないことを表す場合に、前記第１の送信手段による送信を行わずに、前記入力手段により入力した識別番号と前記画像入力手段により入力した顔画像とを前記ＩＤカード作成装置に送信する第３の送信手段とを更に備え、前記ＩＤカード作成装置は、前記第３の送信手段により送信された識別番号及び顔画像に従ってＩＤカードを作成することが好ましい。
【００１６】
本発明に係るＩＤカード作成方法は、申請者の顔画像を撮影する撮影装置と、ＩＤカードを作成するＩＤカード作成装置と、識別番号とその識別番号に対応付けられた顔画像を記憶した記憶部を有するファイルサーバと、２つの顔画像を照合する顔画像照合装置と、を用いてＩＤカードを作成するＩＤカード作成方法であって、前記撮影装置が、申請者の識別番号を入力する入力ステップと、前記撮像装置が、申請者の顔画像を入力する画像入力ステップと、前記撮像装置が、前記画像入力ステップにより入力された顔画像を前記入力ステップにより入力された識別番号に対応付けて前記顔画像照合装置に送信する第１の送信ステップと、前記顔画像照合装置が、前記第１の送信ステップにより送信された識別番号に対応する顔画像を前記ファイルサーバから受信する受信ステップと、前記顔画像照合装置が、前記受信ステップにより受信された顔画像と前記第１の送信ステップにより送信された顔画像を照合する照合ステップと、前記顔画像照合装置が、前記照合ステップによる照合結果を識別番号に対応付けて前記撮影装置に送信する第２の送信ステップと、前記撮影装置が、前記第２の送信ステップにより送信された照合結果によって、前記ＩＤカード作成装置によるＩＤカードの作成を決める決定ステップと、を含み、前記照合ステップは、前記顔画像照合装置が、前記受信ステップにより受信された顔画像と前記第１の送信ステップにより送信された顔画像との一致度合いを求めるステップと、求めた一致度合いが第１閾値以上である場合に、本人であることを表す照合結果を前記顔画像照合装置が出すステップと、求めた一致度合いが前記第１閾値未満である場合に、前記顔画像照合装置が、前記受信ステップにより受信された顔画像と前記第１の送信ステップにより送信された顔画像とを表示部に表示するステップと、前記顔画像照合装置が両方の顔画像の比較結果を前記入力部により入力するステップと、前記入力部により入力した比較結果が不一致を表す場合に、求めた一致度合いが第２閾値未満（但し、前記第２閾値＜前記第１閾値）であるときに、別人であることを表す照合結果を前記顔画像照合装置が出すステップと、を含むという構成を採った。
【００１７】
好ましくは、前記決定ステップは、前記第２の送信ステップにより送信された照合結果が本人を表す場合に、前記撮影装置が前記入力ステップにより入力した識別番号と、前記画像入力ステップにより入力した顔画像とを前記ＩＤカード作成装置に送信するステップを含み、前記ＩＤカード作成装置が、前記決定ステップにより送信された識別番号及び顔画像に従ってＩＤカードを作成するステップを更に含む。
【００１８】
好ましくは、前記決定ステップは、前記第２の送信ステップにより送信された照合結果が別人を表す場合に、前記撮影装置が第２の表示部にエラー表示をするステップを含む。
【００２１】
好ましくは、前記照合ステップは、前記入力部により入力した比較結果が一致を表す場合に、本人であることを表す照合結果を前記顔画像照合装置が出すステップを含む。
【００２３】
好ましくは、前記照合ステップによって別人の照合結果が出された場合に、前記顔画像照合装置が前記表示部にエラー表示をするステップを更に含む。
【００２４】
好ましくは、前記照合ステップは、前記入力部により入力した比較結果が不一致を表す場合に、求めた一致度合いが前記第２閾値以上であるときに、前記顔画像照合装置が前記第１の送信ステップにより送信された識別番号に対応する別の顔画像を前記ファイルサーバから受信するステップと、前記顔画像照合装置が、その別の顔画像と前記第１の送信ステップにより送信された顔画像を照合するステップとを含む。
【００２５】
好ましくは、前記撮影装置が、顔照合をするか否かを表す申請識別情報を入力する申請識別情報入力ステップと、前記撮影装置が、前記申請識別情報入力ステップにより入力された申請識別情報が顔照合をしないことを表す場合に、前記第１の送信ステップによる送信を行わずに、前記入力ステップにより入力した識別番号と前記画像入力ステップにより入力した顔画像とを前記ＩＤカード作成装置に送信する第３の送信ステップと、前記ＩＤカード作成装置が、前記第３の送信ステップにより送信された識別番号及び顔画像に従ってＩＤカードを作成するステップとを更に含む。
【発明の効果】
【００２６】
本発明によれば、撮影装置によって一旦撮影された申請者の顔画像が、ファイルサーバの記憶部に記憶された顔画像と顔画像照合装置にて照合されるので、申請者に与える精神的苦痛を軽減することができる。また、顔画像照合装置による両方の顔画像の照合の結果、申請者が本人であると判定されると、ＩＤカードが作成されるので、本人以外にＩＤカードを交付することを防止することができる。
また、撮影装置とは別の顔画像照合装置にて両方の顔画像の照合が行われるため、撮影装置の処理負担を軽減することができ、撮影装置によって複数の申請者の顔画像を次々に撮影することができる。
【発明を実施するための最良の形態】
【００２７】
以下に、本発明を実施するための最良の形態について図面を用いて説明する。但し、以下に述べる実施形態には、本発明を実施するために技術的に好ましい種々の限定が付されているが、発明の範囲を以下の実施形態及び図示例に限定するものではない。
【００２８】
図１は、ＩＤカード作成システム１００の全体構成を示したブロック図である。図１に示すように、ＩＤカード作成システム１００は、ホストコンピュータ１、撮影装置２、ＩＤカード作成装置３、ファイルサーバ４、登録装置５、照会装置６及び顔画像照合装置７を具備し、ＩＤカード作成システム１００を構成する各装置は通信ネットワーク８により接続される。なお、１台のホストコンピュータ１に通信ネットワーク８を介して接続される撮影装置２、ＩＤカード作成装置３、ファイルサーバ４、登録装置５、照会装置６及び顔画像照合装置７の台数は特に限定されない。
【００２９】
通信ネットワーク８は、例えば、公衆回線、電話回線、ＩＳＤＮ回線、無線通信回線、専用線、ＣＡＴＶ回線といったネットワークである。この通信ネットワーク８は、任意な時に接続が可能であればよく、常時接続されている必要はない。また、通信ネットワーク８は、情報管理の信頼性の観点から、特定のユーザのみアクセス可能なセキュリティを確保していることが望ましい。又は、ＩＤカード作成システム１００は、通過する情報を制限するファイアウォール機能を有するプロキシサーバ等を備える構成であってもよい。
【００３０】
ホストコンピュータ１はＣＰＵ（Central Processing Unit）、ＲＡＭ（Random Access Memory）、ＲＯＭ（Read Only Memory）、通信インターフェース等を有したコンピュータであり、更にデータベース１１を備えている。データベース１１は、ＩＤ番号（免許番号、登録番号といった識別番号）及び現在登録中の個人情報（氏名、現住所、生年月日、本籍、電話番号、性別、身体データ等）を対応付けてしている。このデータベース１１には、最新の個人情報がＩＤ番号に対応付けて格納されている。ホストコンピュータ１は、データベース１１に格納される情報の更新や読み出しを制御する。また、ホストコンピュータ１は、登録装置５からＩＤ番号及び個人情報を受信した場合に、データベース１１に記憶されている個人情報を、受信した個人情報に書き換える機能を有する。
【００３１】
ホストコンピュータ１は外部ホストコンピュータ９に対して通信可能とされている。外部ホストコンピュータ９はＣＰＵ、ＲＡＭ、ＲＯＭ等を有したコンピュータであり、更にデータベース９１を備えている。データベース９１には、交付可否フラグがＩＤ番号毎に対応付けて格納されている。この交付可否フラグは、ＩＤカードの交付を許可するか否かを表す情報（０：交付可、１：交付不可）である。外部ホストコンピュータ９は、ホストコンピュータ１から送信されたＩＤ番号に対応する交付可否フラグを読み出し、その読み出した交付可否フラグをホストコンピュータ１に送信し、交付可否フラグがホストコンピュータ１にてＩＤ番号と個人情報に対応付けられて一時記憶される。なお、外部ホストコンピュータ９及びデータベース９１を設けずに、交付可否フラグをＩＤ番号に対応付けてデータベース１１に格納し、ホストコンピュータ１がＩＤ番号に基づきデータベース１１から交付可否フラグを読み取るようにしても良い。
【００３２】  ファイルサーバ４はＣＰＵ、ＲＡＭ、ＲＯＭ等を有したコンピュータであり、更にデータベース４１を備えている。データベース４１には、個人情報及び顔画像がＩＤ番号毎に対応付けして格納されている。このデータベース４１には、１つのＩＤ番号に対して現在登録中の個人情報及び顔画像のほかに、過去に登録した個人情報及び顔画像も対応付けて格納されている。ファイルサーバ４は、データベース４１に格納される情報の更新や読み出しを制御する。【００３３】
登録装置５はＣＰＵ、ＲＡＭ、ＲＯＭ、入力装置、表示装置、通信インターフェース等を有したコンピュータであり、ＩＤ番号及び新たな個人情報を入力し、入力したＩＤ番号及び個人情報をホストコンピュータ１に送信するものである。
【００３４】
照会装置６はＣＰＵ、ＲＡＭ、ＲＯＭ、入力装置、表示装置、通信インターフェース等を有したコンピュータである。照会装置６は、ＩＤ番号又は個人情報（例えば、氏名、生年月日、性別等）を入力し、入力したＩＤ番号又は個人情報に基づき、ファイルサーバ４に登録されている個人情報、顔画像、申請画像を検索し、その検索結果を表示する。この照会装置６は、申請人がＩＤ番号を忘れてしまった場合にその申請者のＩＤ番号を確認するために用いられる。
【００３５】
図２は、撮影装置２の全体構成を申請者（被写人）とともに示したブロック図である。図２に示すように、撮影装置２は、ＣＰＵ２１、ＲＡＭ２２、記憶部２３、通信部２５、入力部２６、表示部２７、カメラ２８、光源２９、スキャナ２０を備える。
【００３６】
入力部２６は、撮影ボタン、カーソルキー、申請識別情報入力キー、数字入力キー及び各種機能キーを備え、ボタン又はキーの押下操作に対応する操作信号をＣＰＵ２１に出力する。ここで、申請識別情報とは申請者によるＩＤカードの交付申請が『新規』の交付申請であるか、『再交付』の申請であるか又は『更新』の申請であるかを表すものであり、申請識別情報入力キーは、『新規』として操作された場合に『新規』を表す申請識別情報をＣＰＵ２１に出力し、『再交付』として操作された場合に『再交付』を表す申請識別情報をＣＰＵ２１に出力し、『更新』として操作され場合に『更新』を表す申請識別情報をＣＰＵ２１に出力する。
【００３７】
通信部２５は、撮影装置２を通信ネットワーク８に接続するためのインターフェースであり、通信ネットワーク８を介してホストコンピュータ１、ＩＤカード作成装置３、ファイルサーバ４、登録装置５、照会装置６及び顔画像照合装置７と通信を行うための制御を行う。
【００３８】
表示部２７は液晶ディスプレイといった表示装置であり、ＣＰＵ２１から入力される表示制御信号に従って顔画像等の各種データを表示する。
【００３９】
カメラ２８は、申請者の顔を結像する光学レンズと、光学レンズによって結像された像を光電変換により電気信号に変換するフォトセンサアレイ（例えば、ＣＣＤ（Charge Coupled Device）型固体撮像素子、ＣＭＯＳ（Complementary Metal Oxide Semiconductor）型固体撮像素子）と、フォトセンサアレイから出力された画像信号を所定分解能（例えば、８ビット）でサンプリングして画像信号をデジタルデータに変換する信号処理回路等とを有し、光学レンズ、フォトセンサアレイ及び信号処理回路によって申請者の顔画像を入力する。
【００４０】
光源２９は、例えば蛍光灯、ハロゲンランプ又はメタルハライドランプにより構成され、撮影の際に、椅子に着座した申請者に対して光を照射する。
【００４１】
スキャナ２０は、申請書に沿ってライン状イメージセンサを移動させて、ライン状イメージセンサによって申請書の画像を１ラインごとに光電変換により電気信号に変換し、ライン状イメージセンサから出力された信号を所定分解能（例えば、８ビット）でサンプリングして画像信号をデジタルデータに変換することで、申請書の画像を入力する。
【００４２】
ＣＰＵ２１は、記憶部２３に記憶されたプログラムに従って、撮影装置２を構成する各部の動作を制御する。例えば、ＣＰＵ２１は、ＩＤカードの作成を申請する申請者のＩＤ番号及び申請識別情報を入力部２６から入力するとカメラ２８を駆動し、カメラ２８から入力した顔画像（以下、カメラ２８から入力した顔画像を撮影顔画像という。）を申請識別情報とともにＩＤ番号に対応付けて記憶部２３に書き込む。また、ＣＰＵ２１は、申請者のＩＤ番号及び申請識別情報を入力部２６から入力するとスキャナ２０を駆動し、スキャナ２０から入力した申請書画像をＩＤ番号に対応付けて記憶部２３に書き込む。また、ＣＰＵ２１は、入力したＩＤ番号に対応する個人情報及び交付可否フラグをホストコンピュータ１から取得するための制御を行い、ホストコンピュータ１から送信された個人情報及び交付可否フラグをＩＤ番号に対応付けて記憶部２３に記憶する。また、ＣＰＵ２１は、入力したＩＤ番号及び撮影顔画像を対応付けて通信部２５により顔画像照合装置７に送信する。また、ＣＰＵ２１は、撮影顔画像に対する照合結果フラグを顔画像照合装置７から受信した場合に、その照合フラグをＩＤ番号に対応付けて記憶部２３に記憶する。
【００４３】
ＲＡＭ２２は、ＣＰＵ２１によって実行されるプログラムをプログラム格納エリアに展開する。また、ＲＡＭ２２は、プログラムの実行時に生じる処理結果等のデータをワークエリアに一時的に記憶する。例えば、ＲＡＭ２２は、カメラ２８にて入力された顔画像を一時的に記憶する。
【００４４】
記憶部２３は、プログラムやデータ等が記憶されている記録媒体を有しており、この記録媒体は、磁気的、光学的記録媒体若しくは半導体メモリで構成されている。この記録媒体は、記憶部２３に固定的に設けられるもの若しくは着脱自在に装着するものであり、システムプログラム、当該システムに対応する各種処理プログラム及び各種処理プログラムで処理されたデータを記憶する。これらのプログラムは、コンピュータが読取可能なプログラムコードの形態で格納され、当該プログラムコードに従った動作がＣＰＵ２１の制御下にて逐次実行される。なお、記憶部２３が記憶するプログラム又はデータは、その一部又は全部を他の機器から通信ネットワーク８を介して受信して記憶するような構成にしてもよい。
【００４５】
この記憶部２３は、ＩＤカードの作成に関するデータとしてＩＤ番号毎にカード作成管理ファイル２４を記憶する。図４に示すように、カード作成管理ファイル２４は、ＩＤ番号、申請識別情報、撮影顔画像、申請書画像、個人情報、撮影フラグ、照合結果フラグ、更新フラグ、交付可否フラグ及びファイリングフラグからなる。ＩＤ番号は、入力部２６から入力した情報である。申請識別情報は、入力部２６から入力した情報である。撮影顔画像は、カメラ２８から入力した画像である。申請書画像は、スキャナ２０から入力した画像である。個人情報は、ホストコンピュータ１から取得した個人情報である。撮影フラグは、カメラ２８によって申請者を撮影したか否か（０：『未撮影』、１：『撮影済み』）を表す情報である。照合結果フラグは、申請者本人であるか否か（０：『別人』、１：『本人』）を表す情報である。更新フラグは、ホストコンピュータ１のデータベース１１の個人情報が更新されたか否か（０：『更新未完』、１：『更新完了』）を表す情報である。交付可否フラグは、ホストコンピュータ１から受信した交付可否フラグである。ファイリングフラグは、ファイルサーバ４によってデータベース４１中の顔画像、個人情報等を追加記憶したか否か（０：『未ファイル』、１：『ファイル完了』）を表す情報である。
【００４６】
図３は、顔画像照合装置７の全体構成を示したブロック図である。図３に示すように、顔画像照合装置７は、ＣＰＵ７１、ＲＡＭ７２、記憶部７３、入力部７４、表示部７５、通信部７６を備える。
【００４７】
入力部７４は、カーソルキー、数字入力キー、一致入力キー、不一致入力キー及び各種機能キーを備え、これらキーの押下操作に対応する操作信号をＣＰＵ７１に出力する。
【００４８】
通信部７６は、顔画像照合装置７を通信ネットワーク８に接続するためのインターフェースであり、通信ネットワーク８を介してホストコンピュータ１、撮影装置２、ＩＤカード作成装置３、ファイルサーバ４、登録装置５及び照会装置６と通信を行うための制御を行う。
【００４９】
表示部７５は液晶ディスプレイといった表示装置であり、ＣＰＵ２１から入力される表示制御信号に従って顔画像等の各種データを表示する。
【００５０】
ＣＰＵ７１は、記憶部７３に記憶されたプログラムに従って、顔画像照合装置７を構成する各部の動作を制御する。例えば、ＣＰＵ７１は、ＩＤ番号及び撮影顔画像を撮影装置２から受信した場合に、その識別番号に対応する顔画像をファイルサーバ４から取得するための制御を行う。また、ＣＰＵ７１は、通信部７６によりファイルサーバ４から直近の顔画像を受信したら、その受信した顔画像と撮影顔画像を照合して両方の顔画像の一致度合い（一致度合いの数値が大きくなるにつれて、より一致していることを表す。）を求める。また、ＣＰＵ７１は、その一致度合いが第１閾値以上であるか否かを判定するとともに、第２閾値（第２閾値＜第１閾値）以上であるか否かを判定する。また、ＣＰＵ７１は、一致度合いが第１閾値以上である場合には、本人であることを表す照合結果フラグ（１：『本人』）を通信部７６により撮影装置２に送信する。また、ＣＰＵ７１は、一致度合いが第２閾値未満である場合には、別人であることを表す照合結果フラグ（０：『別人』）を通信部７６により撮影装置２に送信する。また、一致度合いが第２閾値以上第１閾値未満である場合であって、一致を表す比較結果が入力部７４により入力されたときには、ＣＰＵ７１は、本人であることを表す照合結果フラグ（１：『本人』）を通信部７６により撮影装置２に送信する。また、一致度合いが第２閾値以上第１閾値未満である場合であって、不一致を表す比較結果が入力部７４により入力されたときには、ＣＰＵ７１は、ファイルサーバ４から次の顔画像を受信し、その顔画像と撮影顔画像の照合を同様に行う。
【００５１】
ＲＡＭ７２は、ＣＰＵ７１によって実行されるプログラムをプログラム格納エリアに展開する。また、ＲＡＭ７２は、プログラムの実行時に生じる処理結果等のデータをワークエリアに一時的に記憶する。例えば、ＲＡＭ７２は、撮影装置２から受信した撮影顔画像及びＩＤ番号を対応付けて一時記憶するとともに、ファイルサーバ４から受信した顔画像もＩＤ番号に対応付けて一時記憶する。
【００５２】
記憶部７３は、プログラムやデータ等が予め記憶されている記録媒体を有しており、この記録媒体は、磁気的、光学的記録媒体若しくは半導体メモリで構成されている。この記憶部７３は、顔画像の照合に関するデータとしてＩＤ番号毎に照合管理ファイル７７を記憶する。図５に示すように、照合管理ファイル７７は、ＩＤ番号、カウンタＮ、照合結果フラグ、各照合における一致度合いからなる。ＩＤ番号は、撮影装置２から受信したＩＤ番号である。カウンタＮは、ファイルサーバ４から受信した顔画像と撮影顔画像の照合回数を表す。照合結果フラグは、ファイルサーバ４から受信した顔画像と撮影顔画像の照合により申請者本人であるか否か（０：『別人』、１：『本人』）を表す情報である。顔画像の一致度合いは、ＣＰＵ７１により顔画像と撮影顔画像を照合するたびに求められて記憶される。
【００５３】
図１において、ＩＤカード作成装置３は、撮影装置２から、ＩＤカードの作成に必要な印刷データ（ＩＤ番号、顔画像、個人情報のデータ）を受信して、印刷データに従ってＩＤカードを作成する。例えば、ＩＤカード作成装置３は、ＩＤカードにＩＤ番号、顔画像及び個人情報を印刷するとともに、ＩＤカードに内蔵されたＩＣチップにＩＤ番号及び個人情報を書き込む。このＩＤカード作成装置３は、各種機能キーを有する入力部、操作パネル、記憶部（何れも図示略）等を備えている。
【００５４】
ＩＤカード作成システム１００の動作及びこのＩＤカード作成システム１００を用いたＩＤカード作成方法について説明する。ここで、図６は、撮影装置２において実行される処理を示すフローチャートであり、図７は、顔画像照合装置７において実行される処理を示すフローチャートである。
【００５５】
まず、申請者が自身のＩＤ番号、申請識別情報（新規、更新又は再交付）、個人情報等を申請書に記入する。そして、発行人が申請書の記入内容に従ってＩＤ番号、申請識別情報、個人情報等を登録装置５で登録すると、ＩＤ番号、申請識別情報、個人情報等が登録装置５にて一時記憶される。申請識別情報が『再交付』でない場合には、登録装置５は、一時記憶したＩＤ番号、申請識別情報、個人情報等をホストコンピュータ１に送信する。
【００５６】
また、発行人が申請書の記入内容を入力するために撮影装置２の入力部２６を操作することによって、撮影装置２のＣＰＵ２１が申請者のＩＤ番号及び申請識別情報を入力部２６から入力し、そのＩＤ番号に申請識別情報を対応付けて記憶部２３のカード作成管理ファイル２４に記録する（ステップＳＡ１）。次に、発行人が申請書をスキャナ２０にセッティングすると、スキャナ２０によって申請書の画像が読み取られ、撮影装置２のＣＰＵ２１がスキャナ２０から申請書画像を入力し、入力した申請書画像をＩＤ番号に対応付けて記憶部２３のカード作成管理ファイル２４に記録する（ステップＳＡ３）。この時点では、ＣＰＵ２１は、カード作成管理ファイル２４の撮影フラグ、照合結果フラグ、更新フラグ、交付可否フラグ、ファイリングフラグを『０』にセットする。
【００５７】
次に、発行人が入力部２６を操作することによって、カメラ２８によって申請者の顔画像が撮影され、ＣＰＵ２１がカメラ２８から入力した撮影顔画像をＩＤ番号に対応付けて記憶部２３のカード作成管理ファイル２４に記録する（ステップＳＡ５）。更に、ＣＰＵ２１は、カード作成管理ファイル２４の撮影フラグを『１：撮影終了』にセットする。
【００５８】  次に、ＣＰＵ２１は、顔画像の照合が必要であるか否かを判定する（ステップＳＡ７）。具体的には、ＣＰＵ２１がカード作成管理ファイル２４の申請識別情報を読み、申請識別情報が『再交付』である場合にＣＰＵ２１が顔照合を必要と判定し（ステップＳＡ７：Ｙｅｓ）、申請識別情報が『新規』又は『更新』である場合にＣＰＵ２１が顔照合を不要と判定する（ステップＳＡ７：Ｎｏ）。【００５９】
顔画像の照合が不要である場合（ステップＳＡ７：Ｎｏ）、ＣＰＵ２１がカード作成管理ファイル２４の照合結果フラグを『１：本人』にセットする（ステップＳＡ９）。そして、ＣＰＵ２１の処理がステップＳＡ１９に移行する。
【００６０】
一方、顔画像の照合が必要である場合（ステップＳＡ７：Ｙｅｓ）、ＣＰＵ２１が記憶部２３に記録されたＩＤ番号とそれに対応付けられた撮影顔画像、申請識別情報及び申請書画像を通信部２５によって顔画像照合装置７に送信し（ステップＳＡ１３）、照合結果フラグを顔画像照合装置７から受信したか否かを判定する（ステップＳＡ１５）。一方、顔画像照合装置７においては、ＣＰＵ７１は、通信部７６によってＩＤ番号、撮影顔画像、申請識別情報及び申請書画像を受信すると（ステップＳＢ１：Ｙｅｓ）、そのＩＤ番号に撮影顔画像、申請識別情報及び申請書画像を対応付けて照合管理ファイル７７に記録する（ステップＳＢ３）。この時点では、ＣＰＵ７１は、照合管理ファイル７７の照合結果フラグを『０』にセットする。
【００６１】
次に、ＣＰＵ７１は、照合管理ファイル７７のカウンタＮを『０』にセットする（ステップＳＢ５）。そして、顔画像照合装置７のＣＰＵ７１は、照合管理ファイル７７のＩＤ番号を通信部７６によってファイルサーバ４に送信する。ファイルサーバ４は、受信したＩＤ番号に対応する直近の顔画像をデータベース４１から読み出す。そして、ファイルサーバ４が読み出した顔画像を顔画像照合装置７に送信し、顔画像照合装置７のＣＰＵ７１が通信部７６によりその顔画像を受信する（ステップＳＢ７）。一方、データベース４１に直近の顔画像がない場合には、ファイルサーバ４は顔画像を送信しない。
【００６２】
次に、ＣＰＵ７１は、ファイルサーバ４から直近の顔画像を受信したか否かを判定する（ステップＳＢ９）。ここで、ファイルサーバ４に直近の顔画像がない場合には（ステップＳＢ９：Ｎｏ）、顔画像照合装置７のＣＰＵ７１の処理がステップＳＢ２５に移行し、ファイルサーバ４に直近の顔画像がある場合には（ステップＳＢ９：Ｙｅｓ）、顔画像照合装置７のＣＰＵ７１の処理がステップＳＢ１１に移行する。
【００６３】
ステップＳＢ１１においては、顔画像照合装置７のＣＰＵ７１が撮影顔画像を直近の顔画像と照合し、両方の顔画像の一致度合いを求め、その一致度合いを照合管理ファイル７７に記憶する。次に、ＣＰＵ７１は一致度合いが第１閾値以上であるか未満であるかを判定する（ステップＳＢ１３）。一致度合いが第１閾値以上である場合には（ステップＳＢ１３：Ｙｅｓ）、ＣＰＵ７１が照合管理ファイル７７の照合結果フラグを『１：本人』にセットし（ステップＳＢ２７）、ＣＰＵ７１の処理がステップＳＢ３１に移行する。
【００６４】
一方、一致度合いが第１閾値未満である場合には（ステップＳＢ１３：Ｎｏ）、ＣＰＵ７１がＩＤ番号、個人情報、撮影顔画像、直近の顔画像及び一致度合いを表示部７５に表示させる（ステップＳＢ１５）。そして、発行人が表示部７５に表示された両方の顔画像を比較する。そして、発行人は両方の顔画像が一致すると判定した場合には、両方の顔画像が一致することを表す比較結果を入力部７４で入力するので、ＣＰＵ７１が入力部７４からその比較結果を入力し（ステップＳＢ１７：Ｙｅｓ）、ＣＰＵ７１が照合管理ファイル７７の照合結果フラグを『１：本人』にセットし（ステップＳＢ２７）、ＣＰＵ７１の処理がステップＳＢ３１に移行する。一方、発行人は両方の顔画像が一致しないと判定した場合には、両方の顔画像が一致しないことを表す比較結果を入力部７４で入力するので、ＣＰＵ７１が入力部７４からその比較結果を入力し（ステップＳＢ１７：Ｎｏ）、ＣＰＵ７１の処理がステップＳＢ１９に移行する。
【００６５】
ステップＳＢ１９においては、ＣＰＵ７１は一致度合いが第２閾値（但し、第２閾値＜第１閾値）以上であるか未満であるかを判定する。一致度合いが第２閾値以上である場合には（ステップＳＢ１９：Ｙｅｓ）、ＣＰＵ７１の処理がステップＳＢ２１に移行し、一致度合いが第２閾値未満である場合には（ステップＳＢ１９：Ｎｏ）、ＣＰＵ７１が照合管理ファイル７７の照合結果フラグを『０：別人』にセットし（ステップＳＢ２９）、ＣＰＵ７１の処理がステップＳＢ３１に移行する。ステップＳＢ２１においては、ＣＰＵ７１は顔照合の継続をするか否かの入力が入力部７４になされたか否かを判定する。ここで、発行人が顔照合継続するよう入力部７４を操作した場合には（ステップＳＢ２１：Ｙｅｓ）、ＣＰＵ７１の処理がステップＳＢ２３に移行し、発行人が顔照合を打ち切るよう入力部７４を操作した場合には（ステップＳＢ２１：Ｎｏ）、ＣＰＵ７１が照合管理ファイル７７の照合結果フラグを『０：別人』にセットし（ステップＳＢ２９）、ＣＰＵ７１の処理がステップＳＢ３１に移行する。
【００６６】
ステップＳＢ２３ではＣＰＵ７１がカウンタＮに『１』を加算し、ＣＰＵ７１の処理がステップＳＢ７に戻る。ステップＳＢ７ではＣＰＵ７１は再びＩＤ番号をファイルサーバ４に送信することで、ファイルサーバ４から次に直近の顔画像を受信する。以上のように、ファイルサーバ４から受信した顔画像と撮影顔画像が一致すると判定されるまで（ステップＳＢ１３：Ｙｅｓ、又は、ステップＳＢ１７：Ｙｅｓ）、ファイルサーバ４から受信した顔画像と撮影顔画像が一致しないと判定されるまで（ステップＳＢ１９：Ｎｏ）、又は、発行人が顔画像と撮影顔画像の照合を打ち切るまで（ステップＳＢ２１：Ｎｏ）、ＣＰＵ２１はステップＳＢ７〜ステップＳＢ２３の処理を繰り返す。ＣＰＵ７１がステップＳＢ７〜ステップＳＢ２３の処理を繰り返していると、ファイルサーバ４のデータベース４１の顔画像の全ての照合が済むので、ファイルサーバ４から顔画像照合装置７に顔画像が送信されず、上述したようにＣＰＵ７１の処理がステップＳＢ９からステップＳＢ２５に移行する。
【００６７】
ステップＳＢ２５ではＣＰＵ７１はカウンタＮが『０』であるか否かを判定する。ステップＳＢ７〜ステップＳＢ２３の処理が一回でも繰り返されると、カウンタＮが『０』でないので、ＣＰＵ７１が照合管理ファイル７７の照合結果フラグを『０：別人』にセットし（ステップＳＢ２９）、ＣＰＵ７１の処理がステップＳＢ３１に移行する。一方、ステップＳＢ７〜ステップＳＢ２３の処理が一回も繰り返されないと、カウンタＮが『０』であるので、ＣＰＵ７１が照合管理ファイル７７の照合結果フラグを『１：本人』にセットし（ステップＳＢ１５）、ＣＰＵ７１の処理がステップＳＢ３１に移行する。
【００６８】  ステップＳＢ３１ではＣＰＵ７１は照合管理ファイル７７の照合結果フラグにより本人であるか否かを判定する。照合結果フラグが『０』である場合には、ＣＰＵ７１が表示部７５に表示信号を出力することで、本人でない旨が警報として表示部７５に表示される（ステップＳＢ３３）。照合結果フラグが『１』である場合には、ＣＰＵ７１が登録装置５にＩＤ番号を指定して更新指示を行う（ステップＳＢ３５）。【００６９】
更新指示を受けた登録装置５は、一時記憶したＩＤ番号、申請識別情報、個人情報等をホストコンピュータ１に送信する。そして、ホストコンピュータ１はその個人情報及び顔画像をＩＤ番号に対応付けてデータベース１１の更新を行う。
【００７０】
ステップＳＢ３３の後又はステップＳＢ３５の後、ＣＰＵ７１は照合結果フラグをＩＤ番号に対応付けて撮影装置２に送信する（ステップＳＢ３７）。撮影装置２においては、ＣＰＵ２１が顔画像照合装置７から通信部２５を介して受信すると（ステップＳＡ１５：Ｙｅｓ）、ＣＰＵ２１が、受信した照合結果フラグをカード作成管理ファイル２４に記録し（ステップＳＡ１７）、ＣＰＵ２１の処理がステップＳＡ１９に移行する。ここで、受信した照合結果フラグが『０：別人』である場合には、ＣＰＵ２１がカード作成管理ファイル２４の照合結果フラグを『０：別人』にセットし、受信した照合結果フラグが『１：本人』である場合には、ＣＰＵ２１がカード作成管理ファイル２４の照合結果フラグを『１：本人』にセットする。
【００７１】
ステップＳＡ１９では、ＣＰＵ２１はカード作成管理ファイル２４の照合結果フラグが『１：本人』であるか否かを判定する。照合結果フラグが『０：別人』であると（ステップＳＡ１９：Ｎｏ）、ＣＰＵ２１が表示部２７に表示信号を出力することで、本人でない旨が警報として表示部２７に表示され（ステップＳＡ２９）、撮影装置２の処理が終了する。
【００７２】
一方、照合結果フラグが『１：本人』であると（ステップＳＡ１９：Ｙｅｓ）、ＣＰＵ２１がＩＤ番号をホストコンピュータ１に送信し、ホストコンピュータ１がそのＩＤ番号に対応する交付可否フラグを外部ホストコンピュータ９から受信する。更に、ホストコンピュータ１はそのＩＤ番号に対応する個人情報がデータベース１１上で更新されたか否かを判定し、更新した場合にはその旨をＩＤ番号、個人情報及び交付可否フラグとともに撮影装置２に送信し、更新していない場合にはその旨をＩＤ番号とともに撮影装置２に送信する。そして、撮影装置２のＣＰＵ２１は、更新した旨をホストコンピュータ１から受信した場合にはカード作成管理ファイル２４の更新フラグを『１：更新完了』にセットするとともに、受信した個人情報及び交付可否フラグもカード作成管理ファイル２４に記録する。一方、ＣＰＵ２１は、更新していない旨をホストコンピュータ１から受信した場合にはカード作成管理ファイル２４の更新フラグを『０：更新未完』にセットする。
【００７３】
そして、ＣＰＵ２１は更新フラグが『１：更新完了』であるか、『０：更新未完』であるかを判定する（ステップＳＡ２１）。更新フラグが『０：更新未完』である場合には（ステップＳＡ２１：Ｎｏ）、ＣＰＵ２１が再びＩＤ番号をホストコンピュータ１に送信し、個人情報の更新をホストコンピュータ１に確認する。
【００７４】
一方、更新フラグが『０：更新完了』である場合には（ステップＳＡ２１：Ｙｅｓ）、撮影装置２のＣＰＵ２１はカード作成管理ファイル２４の交付可否フラグが『０：交付不可』であるか、『１：交付可』であるかを判定する（ステップＳＡ２３）。
【００７５】
交付可否フラグが『０：交付不可』である場合には（ステップＳＡ２３：Ｎｏ）、ＣＰＵ２１が表示部２７に表示信号を出力することで、交付不可である旨が警報として表示部２７に表示され（ステップＳＡ３１）、撮影装置２の処理が終了する。
【００７６】
一方、カード作成管理ファイル２４の交付可否フラグが『１：交付可』である場合には（ステップＳＡ２３：Ｙｅｓ）、ＣＰＵ２１がＩＤ番号と、そのＩＤ番号に対応する撮影顔画像及び個人情報をＩＤカード作成装置３に送信する（ステップＳＡ２５）。ＩＤカード作成装置３は、ＩＤ番号とそれに対応付けられた個人情報及び顔画像のデータを撮影装置２から受信すると、ＩＤ番号、顔画像及び個人情報を用いてＩＤカードを作成する。ここでは、ＩＤカード作成装置３は、ＩＤカードにＩＤ番号、顔画像及び個人情報を印刷するとともに、ＩＤカードに内蔵されたＩＣチップにＩＤ番号及び個人情報を書き込む。
【００７７】
次に、撮影装置２のＣＰＵ２１がＩＤ番号と、そのＩＤ番号に対応する撮影顔画像及び個人情報をファイルサーバ４に送信する（ステップＳＡ２７）。ファイルサーバ４は、ＩＤ番号とそれに対応付けられた個人情報及び顔画像を撮影装置２から受信すると、その個人情報及び顔画像をＩＤ番号に対応付けてデータベース４１に追加書き込みする。
【００７８】
以上のように、撮影装置２によって一旦撮影された申請者の顔画像が、ファイルサーバ４のデータベース４１に記憶された顔画像と顔画像照合装置７にて照合されるので、申請者に与える精神的苦痛を軽減することができる。また、両方の顔画像の照合が顔画像照合装置７にて行われるので、撮影装置２の処理負担を軽減することができ、複数の申請人の顔画像を撮影装置２によって次々に撮影することができる。
【００７９】
また、両方の顔画像が一致すると顔画像照合装置７にて判定された場合に（ステップＳＢ１３：Ｙｅｓ、ステップＳＢ１７：Ｙｅｓ）、ＩＤカードが作成されたり、データベース１１，４１が更新されたりするので、本人以外にＩＤカードを交付することを防止することができるとともに、個人情報が改変されることも防止することができる。
【００８０】
また、申請者の撮影顔画像がファイルサーバ４のデータベース４１に記憶された複数の顔画像と顔画像照合装置７にて照合されるので、本人確認の精度が向上する。申請者の撮影顔画像が何回か照合された結果、撮影顔画像が何れの顔画像にも一致しないと顔画像照合装置７によって判定された場合、更に撮影顔画像と登録された顔画像の両方が表示されるので、申請者に知られずに申請者の本人確認を行うことができ、申請者の精神的負担を軽減することができる。
【００８１】
なお、上記実施形態では、撮影装置２にて申請者のＩＤ番号が入力されたが、申請者の仮ＩＤ番号が入力されても良い。この場合、発行人が登録装置５又は照会装置６にて申請者の個人情報からＩＤ番号を引き出し、そのＩＤ番号を仮ＩＤ番号に対応付ければ良い。
【００８２】
また、複数の申請人についてＩＤカードを発行しようとする場合、撮影装置２が複数の申請人についてステップＳＡ１〜ステップＳＡ５の処理を行い、その後複数の申請人についてステップＳＡ７〜ステップＳＡ１７の処理を行い、その後複数の申請人についてステップＳＡ１９〜ステップＳＡ３１の処理を行っても良い。また、複数の申請人についてＩＤカードを発行しようとする場合、顔画像照合装置７が複数の申請人についてステップＳＢ１〜ステップＳＢ３の処理を行い、その後複数の申請人についてステップＳＢ５〜ステップＳＢ２９の処理を行い、その後複数の申請人についてステップＳＢ３１〜ステップＳＢ３７の処理を行っても良い。つまり、撮影装置２がステップＳＡ１〜ステップＳＡ３１の処理を申請人ごとに並行して行い、顔画像照合装置７がステップＳＢ１〜ステップＳＢ３７を申請人ごとに並行しても行うようにしても良い。
【図面の簡単な説明】
【００８３】
【図１】ＩＤカード作成システムの構成を示す図。
【図２】ＩＤカード作成システムを構成する撮影装置の構成を示すブロック図。
【図３】ＩＤカード作成システムを構成する顔画像照合装置の構成を示すブロック図。
【図４】撮影装置の記憶部に記憶されるＩＤカード作成管理ファイルのデータ構成を示した図面である。
【図５】顔画像照合装置の記憶部に記憶される照合管理ファイルのデータ構成示した図面である。
【図６】撮影装置において実行される処理を示すフローチャート。
【図７】顔画像照合装置において実行される処理を示すフローチャート。
【符号の説明】
【００８４】
１  ホストコンピュータ
２  撮影装置
３  ＩＤカード作成装置
４  ファイルサーバ
５  登録装置
６  照会装置
７  顔画像照合装置
８  通信ネットワーク
９  外部ホストコンピュータ
１１  データベース
２１  ＣＰＵ
２２  ＲＡＭ
２３  記憶部
２５  通信部
２６  入力部
２７  表示部
２８  カメラ
４１  データベース
７１  ＣＰＵ
７２  ＲＡＭ
７３  ＲＯＭ
７４  入力部
７５  表示部
７６  通信部
９１  データベース
【図１】
0004755880.tif 000002
【図２】
0004755880.tif 000003
【図３】
0004755880.tif 000004
【図４】
0004755880.tif 000005
【図５】
0004755880.tif 000006
【図６】
0004755880.tif 000007
【図７】
0004755880.tif 000008